【手続補正書】
【提出日】平成26年4月2日(2014.4.2)
【手続補正１】
【補正対象書類名】特許請求の範囲
【補正対象項目名】全文
【補正方法】変更
【補正の内容】
【特許請求の範囲】
【請求項１】
一端が開放され、他端が閉塞する柔軟で剛性のない筒状のフィルムからなる筒フィルム(1)と、
その筒フィルム(1)の閉塞端に配置され、後端に係止孔(3a)を有する詰め物(3)と、
前記係止孔(3a)に挿脱自在に嵌着する小径の軸部(4)を一端側に有し、他端側に軸部(4)より大径の把持部(5)を有し、前記筒フィルム(1)に内装された前記詰め物(3)の前記係止孔(3a)に前記軸部(4)先端を嵌着して、肛門にそれらを挿入し、次いでそれらを肛門内に保持した状態で、前記係止孔(3a)から全体を引き抜くことができるように構成された挿入ステック(6)と、
を具備する脱肛防止補助具。
【請求項２】
請求項1に記載の脱肛防止補助具おいて、
前記筒フィルム(1)は、その先端部直径が小径の小径部(1a)と、その後端部の大径部(1b)と、それらの間を接続するテーパ部(1c)とを有し、その小径部(1a)に前記詰め物(3)が挿入される脱肛防止補助具。
【請求項３】
請求項１または請求項２に記載の脱肛防止補助具おいて、
前記詰め物(3)は、ゴム弾性を有し、その係止孔(3a)に挿入スティック(6)の軸部(4)先端が嵌着されて保持され、その詰め物(3)の先端部外周が滑らかに面取り形成され、その外周に軸線方向へ複数のガス抜き溝(3b)が形成された脱肛防止補助具。
【請求項４】
先端に頭部(11)を有し、その頭部(11)の後端の首部(13)の周縁に柔軟で剛性のない帯状のフィルムからなるフィルム部(1e)を一体に有し、頭部(11)の後端の中心に係止孔(3a)が設けられた本体(12)と、
前記係止孔(3a)に挿脱自在に嵌着する小径の軸部(4)を一端側に有し、他端側に軸部(4)より大径の把持部(5)を有し、前記フィルム部(1e)に内装された前記頭部(11)の前記係止孔(3a)に前記軸部(4)先端を嵌着して、肛門にそれらを挿入し、次いでそれらを肛門内に保持した状態で、前記係止孔(3a)から全体を引き抜くことができるように構成された挿入ステック(6)と、
を具備する脱肛防止補助具。
【請求項５】
請求項４に記載の脱肛防止補助具において、
前記フィルム部(1e)は、前記頭部(11)の後端の首部(13)の周縁に柔軟で剛性のない肩部およびそれから延長する帯状のフィルムからなる脱肛防止補助具。
【請求項６】
請求項４又は請求項５のいずれかに記載の脱肛防止補助具において、
前記頭部(11)は、ゴム弾性を有し、その係止孔(3a)に挿入スティック(6)の軸部(4)先端が嵌着されて保持され、その頭部(11)の先端部外周が滑らかに面取り形成され、その外周に軸線方向へ複数のガス抜き溝(3b)が形成された脱肛防止補助具。
【請求項７】
請求項１または請求項４に記載の脱肛防止補助具おいて、
前記挿入スティック(6)は、筒状の前記把持部(5)に前記軸部(4)が圧縮スプリング(7)を介して出入自在に保持され、軸部(4)先端に軸方向後方への圧力が加わったとき、その軸部(4)が後方に移動しつつ、前方に進入するように付勢された脱肛防止補助具。
【請求項８】
請求項１または請求項４に記載の脱肛防止補助具おいて、
前記挿入スティック(6)の軸部(4)の直径が２ｍｍ〜４ｍｍである脱肛防止補助具。
【請求項９】
請求項１〜請求項８に記載の脱肛防止補助具のいずれかにおいて、
挿入スティック(6)の軸部(4)先端外周が滑らかに面取り形成された脱肛防止補助具。
【手続補正２】
【補正対象書類名】明細書
【補正対象項目名】００１１
【補正方法】変更
【補正の内容】
【００１１】
請求項４に記載の本発明は、先端に頭部(11)を有し、その頭部(11)の後端の首部(13)の周縁に柔軟で剛性のない帯状のフィルムからなるフィルム部(1e)を一体に有し、頭部(11)の後端の中心に係止孔(3a)が設けられた本体(12)と、
前記係止孔(3a)に挿脱自在に嵌着する小径の軸部(4)を一端側に有し、他端側に軸部(4)より大径の把持部(5)を有し、前記フィルム部(1e)に内装された前記頭部(11)の前記係止孔(3a)に前記軸部(4)先端を嵌着して、肛門にそれらを挿入し、次いでそれらを肛門内に保持した状態で、前記係止孔(3a)から全体を引き抜くことができるように構成された挿入ステック(6)と、
を具備する脱肛防止補助具である。
【手続補正３】
【補正対象書類名】明細書
【補正対象項目名】００１２
【補正方法】変更
【補正の内容】
【００１２】
請求項５に記載の本発明は、請求項４に記載の脱肛防止補助具において、
前記フィルム部(1e)は、前記頭部(11)の後端の首部(13)の周縁に柔軟で剛性のない肩部およびそれから延長する帯状のフィルムからなる脱肛防止補助具である。
請求項６に記載の本発明は、請求項４又は請求項５のいずれかに記載の脱肛防止補助具において、
前記頭部(11)は、ゴム弾性を有し、その係止孔(3a)に挿入スティック(6)の軸部(4)先端が嵌着されて保持され、その頭部(11)の先端部外周が滑らかに面取り形成され、その外周に軸線方向へ複数のガス抜き溝(3b)が形成された脱肛防止補助具である。
【手続補正４】
【補正対象書類名】明細書
【補正対象項目名】００１３
【補正方法】変更
【補正の内容】
【００１３】
請求項７に記載の本発明は、請求項１または請求項４に記載の脱肛防止補助具おいて、
前記挿入スティック(6)は、筒状の前記把持部(5)に前記軸部(4)が圧縮スプリング(7)を介して出入自在に保持され、軸部(4)先端に軸方向後方への圧力が加わったとき、その軸部(4)が後方に移動しつつ、前方に進入するように付勢された脱肛防止補助具である。
請求項８に記載の本発明は、請求項１または請求項４に記載の脱肛防止補助具おいて、
前記挿入スティック(6)の軸部(4)の直径が２ｍｍ〜４ｍｍである脱肛防止補助具である。
請求項９に記載の本発明は、請求項１〜請求項８に記載の脱肛防止補助具のいずれかにおいて、
挿入スティック(6)の軸部(4)先端外周が滑らかに面取り形成された脱肛防止補助具である。
【手続補正５】
【補正対象書類名】明細書
【補正対象項目名】００１４
【補正方法】変更
【補正の内容】
【００１４】
請求項１および請求項４に記載の本発明の脱肛防止補助具は、筒フィルム１またはフィルム部1e（以下筒フィルム１等）と、その筒フィルム１等の端に位置する詰め物３または頭部11（以下詰め物３等）と、挿入スティック６とを有し、詰め物３等の係止孔3aに挿入スティック６の軸部４の先端を嵌着して肛門にそれらを挿入し、次いでそれらを肛門内に保持した状態で、係止孔3aから挿入スティック６を引き抜くことができるように構成されたものである。
そのため、先端に詰め物３等を有する筒フィルム１等を肛門内に安全に且つ、容易に保持することができる。
これは、筒フィルム１等に被覆された詰め物３等を肛門内に挿入したとき、挿入スティック６の軸部４が小径であるため、その挿入スティック６を引き戻しても、そのとき筒フィルム１等全体が肛門外に引き出されるおそれがない。
また、肛門への挿入が軸部４を有する挿入スティック６によって行われるため、肛門内部を傷つけるおそれがなく、安全に詰め物３等を有する筒フィルム１等を肛門内に挿入することができる。
請求項５に記載のように、フィルム部1eを頭部11の後端の首部13の周縁に柔軟で剛性のない肩部およびそれから延長する帯状のフィルムから形成したときは、挿入スティック６を紛失したとき、指をそのフィルム部1e内に開口端1dから挿入し易くなり、さらには、その柔軟性を向上することができる。
【手続補正６】
【補正対象書類名】明細書
【補正対象項目名】００１６
【補正方法】変更
【補正の内容】
【００１６】
請求項３または請求項６に記載のように、詰め物３等としてゴム弾性を有し、係止孔3aに挿入スティック６の軸部４先端を嵌着保持した場合には、脱肛防止補助具を肛門内により安全に保持することができる。
また、その詰め物３等の外周に軸線方向に複数のガス抜き溝3bを形成したので、本脱肛防止補助具を肛門内に挿入した状態で、放屁が可能となり、取り扱い易いものとなる。
【手続補正７】
【補正対象書類名】明細書
【補正対象項目名】００１７
【補正方法】変更
【補正の内容】
【００１７】
請求項７に記載のように、挿入スティック６の把持部５に軸部４を圧縮スプリング７を介して出入自在に保持した場合には、筒フィルム１が被覆された詰め物３を肛門に挿入するとき、痔の炎症部に痛みを生じることが少ない。
これは、その挿入時に軸部４の先端に軸方向後方への圧力が加わっても、軸部４が後方に移動しつつ、前方に進入するように付勢されているため、炎症を起こしている肛門に急激な強い圧力が加わることを防止できるからである。
【手続補正８】
【補正対象書類名】明細書
【補正対象項目名】００１８
【補正方法】変更
【補正の内容】
【００１８】
請求項８に記載のように、挿入スティック６の軸部４の直径を２〜４ｍｍとした場合には、挿入スティック６の軸部４を肛門から引き抜くとき、肛門に違和感を感ぜず、確実にそれを引き抜くことができる。
実験によれば、４ｍｍを超えると肛門の不随筋の働きにより軸部４の外周が締め付けられ、肛門からの引抜きに伴い、筒フィルム１が一緒に外に出てしまうおそれがある。２ｍｍ以下であると、挿入時の安定性に欠けるおそれがある。
【手続補正９】
【補正対象書類名】明細書
【補正対象項目名】００１９
【補正方法】変更
【補正の内容】
【００１９】
請求項９に記載のように、詰め物３の先端部外周および挿入スティック６の軸部４の先端外周を滑らかに面取りした場合には、より安全な脱肛防止補助具となる。
【手続補正１０】
【補正対象書類名】明細書
【補正対象項目名】００３０
【補正方法】変更
【補正の内容】
【００３０】
図８〜図１１は、本発明の脱肛防止補助具の他の例を示すその本体12であり、図１２はその使用状態を示すものである。
この補助具の本体12が前記実施例と異なる点は、前記実施例では筒フィルム１と詰め物３が別体であったが、この例では、前記実施例の詰め物３に相当する頭部11と、筒フィルム１に相当するその首部13を介して、柔軟で剛性のない肩部およびそれに連続する帯状のフィルム部1eとが一体に形成されたものである。即ち、フィルム部1eと頭部11とは共に同一材料の一体成形体（射出成形）よりなる。両者は、医療用ウレタンゴムやシリコンゴム等を使用することができる。
【手続補正１１】
【補正対象書類名】明細書
【補正対象項目名】００３１
【補正方法】変更
【補正の内容】
【００３１】
そしてこの本体12は、その先端に頭部11を有し、その頭部11の後端に首部13を介し、その周縁に柔軟で剛性のないフィルムからなるフィルム部1eを一体に有する。頭部11の後端の中心には、係止孔3aが設けられている。また、フィルム部1eはその肩部の開口端1dが、中間部から後端に向けて斜めに切り取られたような形状を有する。このようにすることにより、挿入スティック６を紛失したとき、指をそのフィルム部1e内に開口端1dから挿入し易くしたものである。さらには、その柔軟性を向上させたものである。
【手続補正１２】
【補正対象書類名】明細書
【補正対象項目名】００３２
【補正方法】変更
【補正の内容】
【００３２】
フィルム部1eの厚みは、一例として０．１ｍｍ〜０．３ｍｍとすることができる。好ましくは、０．１５ｍｍ〜０．２ｍｍである。このフィルム部1eは、前記実施例同様に頭部11が肛門内に挿入されたとき、そのフィルム部1eは柔軟で薄いため紐状に外部に導かれ、それが肛門外に露出される。
なお、この実施例においても、その挿入スティック６は前記実施例と同様に使用され、その軸部４が頭部11の係止孔3aに挿入される。
【手続補正１３】
【補正対象書類名】明細書
【補正対象項目名】００３３
【補正方法】変更
【補正の内容】
【００３３】
１  筒フィルム
1a  小径部
1b  大径部
1c  テーパ部
1d  開口端
1e  フィルム部
３  詰め物
3a  係止孔
3b  ガス抜き溝
４  軸部
4a  膨出部